(57)【特許請求の範囲】
【請求項１】
温度監視装置の本体ケースと、
前記本体ケースの外部に設けられて監視対象の温度に応じた温度信号を発生する温度センサと、
前記本体ケースの内部に設けられ、取得した前記温度信号を符号化して生成した変調波を無線送信させる空中線部を含む無線送信部と、
前記本体ケースの内部に設けられ、前記変調波を予め定めた送信周期で送信させる制御部と、
前記温度監視装置から無線送信された前記変調波を受信する受信部とを有し、
前記空中線部は、前記本体ケースの内部に設けられたアンテナと、前記本体ケースの外部に設けられた前記温度センサのグランド線とを有し、
前記グランド線は、前記アンテナに接続された増幅器に電力を供給する電源線に接続され、前記アンテナおよび前記グランド線により無線電波を空間に放射させることを特徴とする温度監視システム。
【請求項２】
温度監視装置の本体ケースと、
前記本体ケースの外部に設けられて監視対象の温度に応じた温度信号を発生する温度センサと、
前記本体ケースの内部に設けられ、取得した前記温度信号を符号化して生成した変調波を無線送信させる空中線部を含む無線送信部と、
前記本体ケースの内部に設けられ、前記変調波を予め定めた送信周期で送信させる制御部と、
複数の前記無線送信部からそれぞれ無線送信される前記変調波の受信時に前記無線送信部を識別して受信する受信部とを有し、
前記空中線部は、前記本体ケースの内部に設けられたアンテナと、前記本体ケースの外部に設けられた前記温度センサのグランド線とを有し、
前記グランド線は、前記アンテナに接続された増幅器に電力を供給する電源線に接続され、前記アンテナおよび前記グランド線により無線電波を空間に放射させ、
前記制御部は、乱数発生回路で発生させた乱数の値に基づく送信タイミングで前記無線送信部に前記変調波の送信動作を実行させることを特徴とする温度監視システム。
【請求項３】
前記空中線部は、前記変調波の送信周波数の波長に対して３λ／４以上の空中線長を有するように形成されていることを特徴とする請求項第１項又は請求項第２項記載の温度監視システム。
【請求項４】
前記アンテナは、前記変調波の送信周波数の波長に対してλ／４以上の長さを有することを特徴とする請求項第１項又は請求項第２項記載の温度監視システム。
【請求項５】
前記グランド線は、前記変調波の送信周波数の波長に対してλ／４以上の長さを有することを特徴とする請求項第１項又は請求項第２項記載の温度監視システム。
【請求項６】
前記無線送信部は、前記温度信号をＡＳＫ（Amplitude Shift Keying）変調して符号化した前記変調波を無線送信することを特徴とする請求項第１項又は請求項第２項記載の温度監視システム。
【請求項７】
温度監視装置の本体ケースと、
前記本体ケースの外部に設けられて監視対象の温度に応じた温度信号を発生する温度センサと、
前記本体ケースの内部に設けられ、取得した前記温度信号を符号化して生成した変調波を無線送信させる空中線部を含む無線送信部と、
前記本体ケースの内部に設けられ、前記変調波を予め定めた送信周期で送信させる制御部を有し、
前記空中線部は、前記本体ケースの内部に設けられたアンテナと、前記本体ケースの外部に設けられた前記温度センサのグランド線とを有し、
前記グランド線は、前記アンテナに接続された増幅器に電力を供給する電源線に接続され、前記アンテナおよび前記グランド線により無線電波を空間に放射させることを特徴とする温度監視装置。
【請求項８】
温度監視装置の本体ケースと、
前記本体ケースの外部に設けられて監視対象の温度に応じた温度信号を発生する温度センサと、
前記本体ケースの内部に設けられ、取得した前記温度信号を符号化して生成した変調波を無線送信させる空中線部を含む無線送信部と、
前記本体ケースの内部に設けられ、前記変調波を識別するための固有の識別情報を前記変調波に付与して予め定めた送信周期で送信させる制御部を有し、
前記空中線部は、前記本体ケースの内部に設けられたアンテナと、前記本体ケースの外部に設けられた前記温度センサのグランド線とを有し、
前記グランド線は、前記アンテナに接続された増幅器に電力を供給する電源線に接続され、前記アンテナおよび前記グランド線により無線電波を空間に放射させ、
前記制御部は、乱数発生回路で発生させた乱数の値に基づく送信タイミングで前記無線送信部に前記変調波の送信動作を実行させることを特徴とする温度監視装置。
【請求項９】
前記空中線部は、前記変調波の送信周波数の波長に対して３λ／４以上の空中線長を有するように形成されていることを特徴とする請求項第７項又は請求項第８項記載の温度監視装置。
【請求項１０】
前記アンテナは、前記変調波の送信周波数の波長に対してλ／４以上の長さを有することを特徴とする請求項第７項又は請求項第８項記載の温度監視装置。
【請求項１１】
前記グランド線は、前記変調波の送信周波数の波長に対してλ／４以上の長さを有することを特徴とする請求項第７項又は請求項第８項記載の温度監視装置。
【請求項１２】
前記無線送信部は、前記温度信号をＡＳＫ（Amplitude Shift Keying）変調して符号化した前記変調波を無線送信することを特徴とする請求項第７項又は請求項第８項記載の温度監視装置。
【発明の詳細な説明】
【０００１】
【発明の属する技術分野】
本発明は、温度監視システムおよび温度監視装置に関し、特に、監視対象の温度を精度良く計測でき、計測された温度信号を無線電波で確実に送信することのできる温度監視システムおよび温度監視装置に関する。
【０００２】
【従来の技術】
従来、高電圧が印加される送電線等の課電部では、線路の送電容量を超えて電力が供給されると線路の焼損等の重大な事故につながる恐れがあり、電力負荷の増大する部分の温度を監視して不具合の発生を予防している。
【０００３】
係る監視を行うにあたって、例えば、監視対象に温度に応じて変色するサーモラベルを貼り付け、作業員の目視あるいは監視カメラ等の監視装置によって監視する温度監視が知られている。サーモラベルは予め定められた温度に一定時間曝されると変色し、そのことによって監視対象に温度異常が生じていることを示す。
【０００４】
また、温度監視の他の態様として、例えば、特開平１０−１６２２８０号に開示される監視システムがある。
【０００５】
図１０は、特開平１０−１６２２８０号に開示される監視システムの概略構成を示し、送電線４１を支持する鉄塔４０と、送電線４１に装着されて電圧、電流、位相、導体温度、外気温度等の情報を計測して無線送信する無線型センサ４２と、無線型センサ４２から送信される電波を受信して変調光を出力する光電界センサ４３と、変調光を光ファイバ複合架空地線（ＯＰＧＷ）４５に伝送する光ファイバ４４と、ＯＰＧＷ４５を介して変調光を伝送される監視装置４７を設けられた変電所４６より構成される。
【０００６】
この監視システムは、監視装置４７から無変調の送信光ＬをＯＰＧＷ４５に出力する。光電界センサ４３は、無線型センサ４２から無線送信される送電線４１の状態に応じた情報に基づいて送信光Ｌを変調した変調光ＬｍをＯＰＧＷ４５に出力する。監視装置４７は、ＯＰＧＷ４５を介して受信した変調光Ｌｍを解析することにより、送電線４１の状態を監視する。
【０００７】
【発明が解決しようとする課題】
しかし、従来の監視システムによると、無線型センサから電波を送信する空中線構造が不十分であると、監視対象への装着後に電波が送信されないという不具合を生じる恐れがあり、特に、大地に充分な接地を確保できない場合に顕著である。電波の放射性を高めるためには送信周波数に応じた形状の空中線構造とすることが考えられるが、周波数によっては空中線構造が大型化し、ひいては装置自体の大型化を招くという問題がある。
【０００８】
従って、本発明の目的は、装置の大型化を招くことなく、監視対象の状態に応じた無線電波を安定的に送信することのできる温度監視システムおよび温度監視装置を提供することにある。
【０００９】
【課題を解決するための手段】
本発明は上記した目的を達成するため、温度監視装置の本体ケースと、前記本体ケースの外部に設けられて監視対象の温度に応じた温度信号を発生する温度センサと、前記本体ケースの内部に設けられ、取得した前記温度信号を符号化して生成した変調波を無線送信させる空中線部を含む無線送信部と、前記本体ケースの内部に設けられ、前記変調波を予め定めた送信周期で送信させる制御部と、前記温度監視装置から無線送信された前記変調波を受信する受信部とを有し、前記空中線部は、前記本体ケースの内部に設けられたアンテナと、前記本体ケースの外部に設けられた前記温度センサのグランド線とを有し、前記グランド線は、前記アンテナに接続された増幅器に電力を供給する電源線に接続され、前記アンテナおよび前記グランド線により無線電波を空間に放射させることを特徴とする温度監視システムを提供する。
【００１０】
また、本発明は上記した目的を達成するため、温度監視装置の本体ケースと、前記本体ケースの外部に設けられて監視対象の温度に応じた温度信号を発生する温度センサと、前記本体ケースの内部に設けられ、取得した前記温度信号を符号化して生成した変調波を無線送信させる空中線部を含む無線送信部と、前記本体ケースの内部に設けられ、前記変調波を予め定めた送信周期で送信させる制御部と、複数の前記無線送信部からそれぞれ無線送信される前記変調波の受信時に前記無線送信部を識別して受信する受信部とを有し、前記空中線部は、前記本体ケースの内部に設けられたアンテナと、前記本体ケースの外部に設けられた前記温度センサのグランド線とを有し、前記グランド線は、前記アンテナに接続された増幅器に電力を供給する電源線に接続され、前記アンテナおよび前記グランド線により無線電波を空間に放射させ、前記制御部は、乱数発生回路で発生させた乱数の値に基づく送信タイミングで前記無線送信部に前記変調波の送信動作を実行させることを特徴とする温度監視システムを提供する。
【００１１】
また、本発明は上記した目的を達成するため、温度監視装置の本体ケースと、前記本体ケースの外部に設けられて監視対象の温度に応じた温度信号を発生する温度センサと、前記本体ケースの内部に設けられ、取得した前記温度信号を符号化して生成した変調波を無線送信させる空中線部を含む無線送信部と、前記本体ケースの内部に設けられ、前記変調波を予め定めた送信周期で送信させる制御部を有し、前記空中線部は、前記本体ケースの内部に設けられたアンテナと、前記本体ケースの外部に設けられた前記温度センサのグランド線とを有し、前記グランド線は、前記アンテナに接続された増幅器に電力を供給する電源線に接続され、前記アンテナおよび前記グランド線により無線電波を空間に放射させることを特徴とする温度監視装置を提供する。
【００１２】
また、本発明は上記した目的を達成するため、温度監視装置の本体ケースと、前記本体ケースの外部に設けられて監視対象の温度に応じた温度信号を発生する温度センサと、前記本体ケースの内部に設けられ、取得した前記温度信号を符号化して生成した変調波を無線送信させる空中線部を含む無線送信部と、前記本体ケースの内部に設けられ、前記変調波を識別するための固有の識別情報を前記変調波に付与して予め定めた送信周期で送信させる制御部を有し、前記空中線部は、前記本体ケースの内部に設けられたアンテナと、前記本体ケースの外部に設けられた前記温度センサのグランド線とを有し、前記グランド線は、前記アンテナに接続された増幅器に電力を供給する電源線に接続され、前記アンテナおよび前記グランド線により無線電波を空間に放射させ、前記制御部は、乱数発生回路で発生させた乱数の値に基づく送信タイミングで前記無線送信部に前記変調波の送信動作を実行させることを特徴とする温度監視装置を提供する。
【００１３】
上記した温度監視システムおよび温度監視装置によると、温度センサの回路の一部をアンテナとして無線電波を送信させる構成とすることにより、無線送信部と制御部等を収容する本体（本体ケース）をコンパクトに形成できるとともに電波の放射性を向上させることができる。
【００１４】
【発明の実施の形態】
以下、本発明の温度監視システムおよび温度監視装置を図面を参照して詳細に説明する。
【００１５】
図１は、本発明の実施の形態に係る温度監視装置の構成を概略的に示す。この温度監視装置１は、監視対象に取り付けられて温度に応じた温度信号を出力する温度センサ１０，１１と、温度センサ１０，１１から温度信号を伝送するための信号線１０Ａ，１１Ａと、温度センサ１０，１１に電力を供給するためのセンサ電源線１０Ｂ，１１Ｂと、温度センサ１０，１１のグランド（ＧＮＤ）線１０Ｃ，１１Ｃと、温度センサ１０，１１の温度信号を信号波として無線送信するための制御を行う制御部１２と、予め定められた変調方式で温度信号に基づく変調波を発生させる変調器１４と、変調器１４から出力される変調波を必要な電力まで増幅する増幅器１５と、増幅された変調波を無線電波として放射するアンテナ１６と、データを伝送するためのデータ線１７と、電源として設けられる電池１８と、各部に電力を供給する電源線１９を有する。また、制御部１２には、外部端末装置（例えば、ＰＣ装置）と接続可能なインターフェース部を備えている。
【００１６】
温度センサ１０，１１は、それぞれ固有の識別番号（センサＩＤ）が付与されている。本実施の形態においては、半導体に印加される電圧の温度依存性に基づいて温度を検出する既知の半導体型温度センサを用いるものとし、その詳細については割愛する。
【００１７】
制御部１２は、内蔵する時計回路から出力されるトリガ信号に基づいて起動して温度センサ１０，１１から入力する温度信号を信号波として変調器１４に出力する。温度センサ１０，１１の計測温度がそれぞれ異なるときは、その平均温度を算出して変調器１４に出力する。
【００１８】
変調器１４は、制御部１２からデータ線１７を介して入力する信号波をＡＳＫ（Amplitude Shift Keying）変調することにより符号化して３１５ＭＨｚ帯の変調波とし、これを増幅器１５に出力する。
【００１９】
アンテナ１６は、その先端から増幅器１５までの長さが送信周波数（３１５ＭＨｚ）のλ／４の長さとなるように形成されている。また、ＧＮＤ線１０Ｃ，１１Ｃについても同様に送信周波数のλ／４の長さとなるように形成されている。このアンテナ１６、ＧＮＤ線１０Ｃ，１１Ｃは、協働して無線電波を送信するための空中線部を形成している。
【００２０】
図２は、温度監視装置１の全体構成を示し、ポリカーボネートで形成された本体２の内部に基板状部材として形成されたアンテナ１６，増幅器１５，および制御回路２０が積層状に収容されている。アンテナ１６は、基板状部材の表面に銅箔で形成された折り返しパターン１６Ａを有する。温度センサ１０，１１は、本体２と分離されて設けられており、先述の信号線、センサ電源線、およびＧＮＤ線をシースで覆って一体化したセンサ線１０Ｄ，１１Ｄを介して制御回路２０に接続されている。制御回路２０は、上記した制御部１２を搭載しており、その下部の空間に電池１８を収容している。
【００２１】
図３は、温度監視装置１を監視対象としての送電線２４に装着した状態を示し、温度監視装置１は、ビス２１によってケーブルクランプ２２に固定されており、ケーブルクランプ２２は銅合金で形成されて２本のボルト２３を締め付けることによって送電線２４を挟持する一組の分割体である。また、温度監視装置１の本体２から露出している温度センサ１０，１１、およびセンサ線１０Ｄ，１１Ｄを固定部材としてのテープ２５で送電線２４に固定している。
【００２２】
図４は、制御部１２の回路構成を示し、温度センサ１０，１１の温度信号およびデータ線１７を介して信号の入出力を行うための信号入出力回路１２０と、無線送信に必要なデータ、演算処理等のプログラムを格納する主メモリ１２１と、無線送信タイミングの可変制御に用いる乱数を発生させる乱数発生回路１２２と、内蔵する基準クロック発生回路で発生する基準クロックをカウントすることにより計時処理を行う時計回路１２３と、温度センサ１０，１１から入力する温度信号を保持する８バイトのＲＡＭであるスクラッチパッドメモリ１２４と、温度センサ１０，１１で計測される温度の高温閾値レジスタ、低温閾値レジスタ、および環境設定レジスタを含むＥＥＰＲＯＭであるレジスタ１２５と、データのエラーチェック用のＣＲＣコードを生成するＣＲＣ生成回路１２６と、各部の制御を行うＣＰＵ１２７とを内部バス１２８によって接続しており、ＣＰＵ１２７は、通常時は待機状態（ＳＬＥＥＰ）にあって時計回路１２３から入力するトリガ信号に基づいて起動して温度信号の処理および無線送信に必要な種々の処理を行う。
【００２３】
乱数発生回路１２２は、時計回路１２３が発生するトリガ信号に基づいて乱数を発生させてＣＰＵ１２７に出力する。この乱数は、種値（シード値）に対して乗算合同法等の演算処理を行うことで０から２５５の範囲でランダムに発生する。本実施の形態では、シード値に温度センサのセンサＩＤを用いており、そのことによって発生する乱数にセンサＩＤの値に応じたばらつきが生じる。その発生周期は６１１２４回で１周期を形成する。
【００２４】
図５は、スクラッチパッドメモリ１２４およびＥＥＰＲＯＭ１２５のメモリマップを示し、各バイトには計測温度（又は、平均温度）の下位桁データ（０番目）、上位桁データ（１番目）、高温閾値（２番目）、低温閾値（３番目）、環境設定（４番目）のデータが格納される。５番目から７番目にかけては予備領域として確保されている。高温閾値、低温閾値、および環境設定のデータは、レジスタ１２５に予め格納されている高温閾値レジスタ、低温閾値レジスタ、および環境設定レジスタに格納されたデータが入力する。
【００２５】
また、レジスタ１２５の高温閾値レジスタには、当該温度監視装置から温度信号を送信する際の送信周期が格納される。
【００２６】
図６（ａ）は、アンテナ１６および温度センサ１０，１１のＧＮＤ線１０Ｃ，１１Ｃによって形成される空中線構造を示し、温度センサ１０，１１のＧＮＤ線１０Ｃ，１１Ｃを本体２の内部に設けられる回路の電源線１９に接続することで共通のグランドとしており、そのことによって大地３０に非接地の構造で、高周波電源３１に接続された完全平衡２線路のダイポールアンテナ３２が形成される。同図においてはλ/４側がアンテナ１６となり、λ/２側がＧＮＤ線１０Ｃ，１１Ｃとなって全体で３λ/４の空中線となる。（ｂ）は、（ａ）の空中線を発振させたときの仮想状態を示し、図示するようにＡおよびＢの２箇所に最大振幅点が形成されることから、電波の放射性が確保される。
【００２７】
また、温度監視装置が近接して複数設けられる場合はこの限りでなく、近接する温度監視装置の同一の空中線によって送信電力が消費されてしまう恐れがある。このような無線電波の吸収によって送信不能になることを防ぐには、ダイポールアンテナ３２の最大振幅点が複数形成されるように空中線の長さを変更することで送信不能になることを防げる。上記した全体で３λ/４の空中線を有する温度監視装置に近接して他の温度監視装置を設ける場合、例えば、その空中線の長さをアンテナ１６側でλ／４、ＧＮＤ線１０Ｃ，１１Ｃ側で３λ/４の合計１λとし、３λ/４の以上の空中線長を有するようにすれば良い。また、ＧＮＤ線１０Ｃ，１１Ｃ側がλ／４、アンテナ１６側が３λ/４の合計１λであっても良い。
【００２８】
以下に、温度監視装置の動作について説明する。以下の説明では、図３に示す送電線２４を監視対象として温度監視を行うものとする。
【００２９】
（１）温度監視装置の初期設定
温度監視装置を装着する送電線２４に応じた初期設定値の入力を行う。入力操作は、例えば、オペレータが制御部１２にインターフェース部を介して接続されたＰＣ装置によりレジスタ１２５に高温閾値、低温閾値、および環境設定を書き込むことによって行う。高温閾値の領域には、変調波の送信周期が書き込まれる。また、環境設定の領域には、温度信号の補正係数、電池残量に応じた送信処理手順、温度信号の送信遅延時間が書き込まれる。
【００３０】
（２）温度監視装置の装着
温度監視装置１をビス２１によってケーブルクランプ２２に固定し、このケーブルクランプ２２を送電線２４に装着する。また、温度監視装置１の本体２から露出している温度センサ１０，１１とセンサ線１０Ｄ，１１Ｄをテープ２５で送電線２４に固定する。センサ線１０Ｄ，１１Ｄは送電線２４に螺旋状に巻き付けても良い。センサ１０，１１は、送電線２４への装着後に温度計測を開始する。
【００３１】
（３）温度計測および無線送信
図７は、温度計測および無線送信のフローチャートを示し、時計回路１２３は、基準クロックをカウントすることによりレジスタ１２５の高温閾値レジスタより読み込んだ送信周期となったときにトリガ信号を発生する（Ｓ１）。ＣＰＵ１２７は、トリガ信号の発生に基づいて起動して（Ｓ２）、温度センサ１０，１１から送電線２４の温度に応じた温度信号を信号入出力部１２０を介して入力し、スクラッチパッドメモリ１２４に格納させる（Ｓ３）。温度センサ１０，１１から入力する温度信号がそれぞれ異なるとき、ＣＰＵ１２７は、温度信号の平均値を演算して格納する。あるいは、異なる温度信号にそれぞれセンサＩＤと計測時刻を付与して管理するようにしても良い。また、乱数発生回路１２２は、トリガ信号の発生に基づいて乱数Ｒを発生させてＣＰＵ１２７に出力する（Ｓ４）。
【００３２】
ＣＰＵ１２７は、乱数Ｒが１２５より大であるとき（Ｓ５）、図８（ａ）に示すように起動時から起算される送信開始タイミングに遅延時間（９５ｍsec）を加算した２０５ｍsec時に温度信号に基づく無線電波（ＤＡＴＡ）の送信動作を実行させる（Ｓ６）。また、乱数Ｒが１２５より小であるとき、図８（ｂ）に示すように起動時から起算される通常の送信開始タイミング（１１０ｍsec）で温度信号に基づく無線電波の送信動作を実行させる（Ｓ７）。この遅延時間は、特に、複数の温度監視装置を設置して同時に温度監視を行う場合に、受信機での受信動作の重複を防ぐために無線電波の１送信時間の２倍以上の時間に設定することが好ましい。
【００３３】
ＣＰＵ１２７は、送信タイミングとなったときにスクラッチパッドメモリ１２４に格納されている温度信号の温度下位桁データおよび温度上位桁データをデータ線１７を介して変調器１４に出力する（Ｓ８）。変調器１４は、入力した温度下位桁データおよび温度上位桁データをＡＳＫ変調した変調波をデータ線１７を介して増幅器１５に出力する（Ｓ９）。増幅器１５は、送信に必要な出力まで変調波を増幅してアンテナ１６から送信させる（Ｓ１０）。アンテナ１６から無線送信された変調波は、受信機（後述）で受信される。
【００３４】
図９は、温度監視システムとしての温度監視装置および無線電波の受信機を示し、４本の独立した送電線２４Ａ，２４Ｂ，２４Ｃ，および２４Ｄにそれぞれ装着した温度監視装置１Ａ，１Ｂ，１Ｃ，および１Ｄから送信される無線電波を受信機３４で受信するものであり、受信機３４は、温度監視装置１Ａ，１Ｂ，１Ｃ，および１Ｄから送信される温度信号に基づく無線電波を受信するためのアンテナ３４Ａと、受信した温度信号についての表示を行う液晶ディスプレイ等の表示部３４Ｂと、受信機３４を操作するための操作スイッチ群３４Ｃによって構成されており、操作スイッチ群３４Ｃは何れも押釦ボタン型スイッチで形成されて電源を投入する電源スイッチ３４Ｄと、表示形態を変更するための表示スイッチ３４Ｅと、表示をリセットするためのリセットスイッチ３４Ｆを備えている。
【００３５】
温度監視装置１Ａ，１Ｂ，１Ｃ，および１Ｄから送信される無線電波は、先述の乱数に基づく送信タイミング可変制御によって送信タイミングが不一致となり、そのことによって受信機３４で一括して受信することが可能になる。
【００３６】
上記した実施の形態によると、以下の作用および効果を奏することができる。監視対象の温度を計測する温度センサ１０，１１を温度監視装置１の本体２から分離して露出させているので、監視対象への装着性、監視対象の温度変化に対するセンサ応答性を向上させることができる。また、本体２に温度センサを内蔵しないことから、既存のケーブルクランプ等の機器を利用して監視対象に容易に装着することができる。監視する物理量については、上記した温度に限定されず、湿度、歪み、又は変形量であっても良く、また、これらの複数の物理量を同時に計測するものであっても良い。
【００３７】
本体２の外部に露出させた温度センサ１０，１１のＧＮＤ線１０Ｃ，１１Ｃを本体内回路の電源線１９に接続することによってダイポールアンテナを形成するので、大地への接地を確保できない状況においても十分な電波放射性を確保できる。監視対象や、その設置環境に応じてＧＮＤ線１０Ｃ，１１Ｃの長さを変更することも可能である。
【００３８】
温度計測時および無線送信時を除いて回路をＳＬＥＥＰ状態としているので、電池を電源として用いる構成であっても長期にわたって温度監視が可能になる。また、温度信号に基づく変調波をＡＳＫ変調に基づいて発生させているので、無線送信に必要な電力の消費を最小限に抑えることができる。
【００３９】
変調波の送信タイミングを乱数を用いて不規則的に設定しているので、例えば、複数の温度監視装置１を近接配置する状況でも１個の受信機で変調波の衝突を抑制しながら受信動作を行うことができ、１周波数で効率的な運用が可能になる。
【００４０】
なお、上記した実施の形態では、本体２に内蔵されたアンテナ１６を用いた構成を説明したが、監視対象への装着にあたって制約を生じることのない場合にはフリップ型や、その他の構造のアンテナを用いても良い。
【００４１】
また、温度監視装置１に内臓される無線装置として、送信機のみの構成について説明したが、受送信機であっても良い。
【００４２】
【発明の効果】
以上説明した通り、本発明の温度監視システムおよび温度監視装置によると、監視対象の温度を計測する温度センサを本体の外部に設け、温度センサのＧＮＤ線をアンテナの一部として用いるようにしたため、装置の大型化を招くことなく、監視対象の状態に応じた無線電波を安定的に送信することができる。
【図面の簡単な説明】
【図１】本発明の実施の形態に係る温度監視装置の概略構成図
【図２】温度監視装置の全体を示す斜視図
【図３】温度監視装置を送電線に装着した正面図
【図４】温度監視装置の制御部の回路ブロック図
【図５】スクラッチパッドメモリおよびＥＥＰＲＯＭのメモリマップを示す説明図
【図６】温度監視装置に形成されるアンテナの回路構成図
【図７】温度監視装置における温度計測および無線送信のフローチャート
【図８】無線送信タイミングを示すタイミングチャート
【図９】複数の温度監視装置を用いた運用形態を示す概略構成図
【図１０】従来の監視システムを示す概略構成図
【符号の説明】
１，温度監視装置  １Ａ，１Ｂ，１Ｃ，温度監視装置
２，本体  １０Ｄ，１１Ｄ，センサ線  １０Ｂ，１１Ｂ，センサ電源線
１０Ａ，１１Ａ，信号線  １０，１１，温度センサ  １０Ｃ，１１Ｃ，センサ線
１２，制御部  １４，変調器  １５，増幅器  １６，アンテナ
１６Ａ，アンテナパターン  １７，データ線  １８，電池
１９，電源線  ２０，制御回路  ２１，ビス  ２２，ケーブルクランプ
２３，ボルト  ２４，送電線  ２４Ａ，２４Ｂ，２４Ｃ，送電線
２５，テープ  ３０，大地  ３１，高周波電源  ３２，ダイポールアンテナ
３４，受信機  ３４Ａ，アンテナ  ３４Ｂ，表示部  ３４Ｃ，操作スイッチ群
３４Ｄ，電源スイッチ  ３４Ｅ，表示スイッチ  ３４Ｆ，リセットスイッチ
４０，鉄塔  ４１，送電線  ４２，無線型センサ  ４３，光電界センサ
４４，光ファイバ  ４６，変電所  ４７，監視装置  １２０，信号入出力回路
１２０，信号入出力部  １２１，主メモリ  １２２，乱数発生回路
１２３，時計回路  １２４，スクラッチパッドメモリ  １２５，レジスタ
１２６，生成回路  １２８，内部バス
【図１】
0004121749.tif 000002
【図２】
0004121749.tif 000003
【図３】
0004121749.tif 000004
【図４】
0004121749.tif 000005
【図５】
0004121749.tif 000006
【図６】
0004121749.tif 000007
【図７】
0004121749.tif 000008
【図８】
0004121749.tif 000009
【図９】
0004121749.tif 000010
【図１０】
0004121749.tif 000011